(57)【要約】【課題】ハンドル後端が上でハンドル前端が下になる姿勢で置かれた状態からハンドル部を握って取り出す動作をしやすい電気掃除機及び掃除機システムを提供する。【解決手段】電気掃除機は、吸引風を発生させるファンモーター４と、被清掃面より塵埃を吸引する吸口体と、吸引した空気及び塵埃を分離する塵埃分離部と、手で握るための柱状のハンドル部８と、を備え、吸口体に近い側のハンドル部８の端部をハンドル前端８ｃ、吸口体から遠い側のハンドル部８の端部をハンドル後端８ｄとしたとき、ハンドル後端８ｄが上でハンドル前端８ｃが下になる姿勢で、スタンドに支持されるか自立可能であり、ハンドル部８をその長手方向に垂直な平面で切断した断面積に関して、ハンドル後端８ｄの断面積がハンドル前端の断面積８ｃより大きい。【選択図】図５
2016131633.tif 000002
【特許請求の範囲】
【請求項１】
吸引風を発生させるファンモーターと、
被清掃面より塵埃を吸引する吸口体と、
吸引した空気及び塵埃を分離する塵埃分離部と、
手で握るための柱状のハンドル部と、
を備え、
前記吸口体に近い側の前記ハンドル部の端部をハンドル前端、前記吸口体から遠い側の前記ハンドル部の端部をハンドル後端としたとき、前記ハンドル後端が上で前記ハンドル前端が下になる姿勢で、スタンドに支持されるか自立可能であり、
前記ハンドル部をその長手方向に垂直な平面で切断した断面積に関して、前記ハンドル後端の断面積が前記ハンドル前端の断面積より大きい電気掃除機。
【請求項２】
前記ハンドル部の長手方向の中央部分を含む領域において前記断面積が前記ハンドル前端から前記ハンドル後端に向かって徐々に増加する請求項１に記載の電気掃除機。
【請求項３】
前記ハンドル部は、手の指の一部が入る一つまたは複数の凹部を有する請求項１または請求項２に記載の電気掃除機。
【請求項４】
前記ハンドル部の表面に、前記ハンドル部の長手方向に対し垂直な方向に延びる複数の凸条が並んで形成されている請求項１から請求項３のいずれか一項に記載の電気掃除機。
【請求項５】
本体ケースと、
前記本体ケースと前記ハンドル後端とを連結する連結部と、
を備え、
前記ハンドル部と前記本体ケースとの間に、手が入る空間である手挿入空間が形成される請求項１から請求項４のいずれか一項に記載の電気掃除機。
【請求項６】
前記ハンドル部と前記連結部との間に形成される角部は、面取りされた形状を有する請求項５に記載の電気掃除機。
【請求項７】
本体ケースを備え、
前記ハンドル部と前記本体ケースとの間に、手が入る空間である手挿入空間が形成され、
前記ハンドル部の前記本体ケースと対向する対向面は、前記本体ケースの中心軸に対して傾斜し、
前記ハンドル部の前記対向面と反対側の面は、前記本体ケースの中心軸に対して平行である請求項１から請求項６のいずれか一項に記載の電気掃除機。
【請求項８】
本体ケースを備え、
前記ハンドル部と前記本体ケースとの間に、手が入る空間である手挿入空間が形成され、
前記ハンドル部の前記本体ケースと対向する対向面の曲率半径は、前記ハンドル部の前記対向面と反対側の面の曲率半径に比べて小さい請求項１から請求項７のいずれか一項に記載の電気掃除機。
【請求項９】
前記ファンモーターを駆動する電力を供給する蓄電池を備える請求項１から請求項８のいずれか一項に記載の電気掃除機と、
前記ハンドル後端が上で前記ハンドル前端が下になる姿勢で前記電気掃除機を支持可能であり、前記電気掃除機を支持した状態で前記蓄電池を充電する機能を有する充電スタンドと、
を備える掃除機システム。
【発明の詳細な説明】
【技術分野】
【０００１】
本発明は、電気掃除機及び掃除機システムに関する。
【背景技術】
【０００２】
蓄電池で動くコードレスのスティック型電気掃除機（以下、「コードレススティッククリーナー」と称する）が知られている。コードレススティッククリーナーを立った姿勢で支持するスタンドが用いられる場合がある。コードレススティッククリーナーが自立可能であり、非使用時に立てて置けるものもある。それらのコードレススティッククリーナーが置かれているとき、吸口体に近い側のハンドル部の端部をハンドル前端、吸口体から遠い側のハンドル部の端部をハンドル後端とすると、ハンドル後端が上でハンドル前端が下になる姿勢になる。
【０００３】
下記特許文献１には、片手に持って使用する小形軽量のハンディクリーナにおいて、ループ形のハンドル部の上面を緩やかな円弧形状にし、小指側ほど細くするとともに、その内周後端部に小指ホールド部を設けてそのホールド性を一層高めるものが開示されている。
【先行技術文献】
【特許文献】
【０００４】
【特許文献１】特開２０１３−９０９５９号公報
【発明の概要】
【発明が解決しようとする課題】
【０００５】
電気掃除機を使うときは、ハンドル部を握る手の親指及び人差し指がハンドル前端に近く、小指がハンドル後端に近くなる。ハンドル後端が上でハンドル前端が下になる姿勢で電気掃除機が置かれた状態からハンドル部を握って電気掃除機を取り出す動作をする際には、逆に、小指がハンドル前端に近く、親指及び人差し指がハンドル後端に近くなる。そのようにして電気掃除機を取り出す動作をする際、手が滑って取り出しにくい場合がある。
【０００６】
本発明は、上述のような課題を解決するためになされたもので、ハンドル後端が上でハンドル前端が下になる姿勢で置かれた状態からハンドル部を握って取り出す動作をしやすい電気掃除機及び掃除機システムを提供することを目的とする。
【課題を解決するための手段】
【０００７】
本発明に係る電気掃除機は、吸引風を発生させるファンモーターと、被清掃面より塵埃を吸引する吸口体と、吸引した空気及び塵埃を分離する塵埃分離部と、手で握るための柱状のハンドル部と、を備え、吸口体に近い側のハンドル部の端部をハンドル前端、吸口体から遠い側のハンドル部の端部をハンドル後端としたとき、ハンドル後端が上でハンドル前端が下になる姿勢で、スタンドに支持されるか自立可能であり、ハンドル部をその長手方向に垂直な平面で切断した断面積に関して、ハンドル後端の断面積がハンドル前端の断面積より大きいものである。
【発明の効果】
【０００８】
本発明の電気掃除機及び掃除機システムによれば、ハンドル部をその長手方向に垂直な平面で切断した断面積に関して、ハンドル後端の断面積がハンドル前端の断面積より大きい構成とすることで、ハンドル後端が上でハンドル前端が下になる姿勢で置かれた状態からハンドル部を握って取り出す動作をしやすくすることが可能となる。
【図面の簡単な説明】
【０００９】
【図１】本発明の実施の形態１の掃除機システムを示す側面図である。
【図２】図１に示す掃除機システムが備える電気掃除機を示す斜視図である。
【図３】図１に示す掃除機システムが備える充電スタンドを示す斜視図である。
【図４】図１に示す掃除機システムの断面側面図である。
【図５】本発明の実施の形態１の電気掃除機の掃除機本体の側面図である。
【図６】本発明の実施の形態１の電気掃除機の掃除機本体を蓄電池及びハンドル部の位置で切断した横断面図である。
【図７】本発明の実施の形態２の電気掃除機の掃除機本体の側面図である。
【図８】本発明の実施の形態３の電気掃除機の掃除機本体の側面図である。
【図９】本発明の実施の形態４の電気掃除機の掃除機本体の側面図である。
【図１０】本発明の実施の形態５の電気掃除機の掃除機本体の側面図である。
【発明を実施するための形態】
【００１０】
以下、図面を参照して本発明の実施の形態について説明する。なお、各図において共通する要素には、同一の符号を付して、重複する説明を省略する。
【００１１】
実施の形態１．
図１は、本発明の実施の形態１の掃除機システムを示す側面図である。図２は、図１に示す掃除機システム１が備える電気掃除機２を示す斜視図である。図３は、図１に示す掃除機システム１が備える充電スタンド３を示す斜視図である。図４は、図１に示す掃除機システム１の断面側面図である。
【００１２】
図１に示すように、本実施の形態１の掃除機システム１は、充電式の電気掃除機２と、充電スタンド３とを備える。電気掃除機２は、コードレスのスティック型の電気掃除機である。充電スタンド３は、電気掃除機２の非使用時（充電時）に電気掃除機２を支持する。充電スタンド３は、電気掃除機２を支持した状態のときに電気掃除機２を充電する機能を有する。以下の説明では、充電スタンド３が電気掃除機２を支持した状態（図１及び図４に示す状態）を「掃除機収納状態」と称する。本実施の形態１の充電スタンド３は、さらに、室内の空気を浄化する空気清浄機能を有する。充電スタンド３は、浄化された空気を排出する排気口３ｉを有する。
【００１３】
図２に示すように、電気掃除機２は、掃除機本体２ａと、被清掃面（床、絨毯、畳、布団等）より塵埃を吸引する吸口体２ｂと、掃除機本体２ａと吸口体２ｂとを接続するパイプ２ｃ（延長管）とを備える。掃除機本体２ａは、吸引風を発生させるファンモーター４と、ファンモーター４を駆動する電力を供給する蓄電池５と、吸引した空気及び塵埃を移送するダクト部６と、ダクト部６の下流側で空気及び塵埃を分離する塵埃分離部７と、手で持つためのハンドル部８と、ファンモーター４及び蓄電池５を覆う本体ケース９とを備える。ファンモーター４及び蓄電池５は、本体ケース９の内部に収納され、外観からは見えない。ダクト部６の形状は、直線的に延びる筒状である。パイプ２ｃの形状は、直線的に延びる筒状である。パイプ２ｃは、掃除機本体２ａのダクト部６の先端部と、吸口体２ｂとを接続する。パイプ２ｃは、ダクト部６の先端部に、着脱可能に連結される。パイプ２ｃをダクト部６に連結した状態で、パイプ２ｃ及びダクト部６は、一直線上に並ぶ。電気掃除機２は、吸口体２ｂとパイプ２ｃとの間に、関節部２ｄを有する。関節部２ｄにより、パイプ２ｃに対する吸口体２ｂの傾斜角度及び回転位置が可変になる。
【００１４】
以下の説明では、ダクト部６の先端側を掃除機本体２ａの前として定義する。ダクト部６の先端側と反対側（基端側）を掃除機本体２ａの後ろとして定義する。ファンモーター４、蓄電池５及び塵埃分離部７を含む部分を掃除機本体２ａの主要部分として定義する。また、吸口体２ｂ側を電気掃除機２の前として定義し、その反対側を電気掃除機２の後ろとして定義する。ダクト部６は、掃除機本体２ａの主要部分の前端の位置よりも前方へ突出するダクト突出部分６ａを有する。パイプ２ｃをダクト部６から取り外し、掃除機本体２ａのみで使用することもできる。すなわち、ダクト突出部分６ａの先端を被清掃面に近づけ、空気及び塵埃をダクト突出部分６ａの先端から直接吸引することもできる。ダクト突出部分６ａの先端に、例えば毛ブラシ（図示省略）のような吸口を取り付けて使用することもできる。
【００１５】
掃除機本体２ａの主要部分の外形は、円柱状である。塵埃分離部７の外形と、本体ケース９の外形とにより、掃除機本体２ａの主要部分の外形が形成される。塵埃分離部７の外形は、円柱状である。本体ケース９の外形は、円柱状である。塵埃分離部７の外形が呈する円柱状の直径と、本体ケース９の外形が呈する円柱状の直径とは、ほぼ等しい。以下の説明では、中心軸または長手方向に垂直な断面を「横断面」と称する。塵埃分離部７の横断面の外形と、本体ケース９の横断面の外形とは、大部分においてほぼ等しい形状（円形）である。塵埃分離部７の中心軸及び本体ケース９の中心軸は、ダクト部６の長手方向に対し平行である。塵埃分離部７の外形の中心軸と、本体ケース９の外形の中心軸とが一直線上になる。これにより、掃除機本体２ａの主要部分の太さをなるべく細くすることが可能となり、掃除機本体２ａ単体としての意匠性を向上できる。本体ケース９は、塵埃と分離された後の清浄な空気を掃除機本体２ａの外部へ排出する排気口９ａを有する。排気口９ａは、本体ケース９の外周面に形成される。排気口９ａは、ファンモーター４が収納された部分の本体ケース９の周方向に沿って、帯状に配置される。排気口９ａは、蓄電池５が収納された部分の前側に形成される。
【００１６】
ハンドル部８は、手で握ることのできる部分である。ハンドル部８の外形は、柱状である。ハンドル部８は、掃除機本体２ａの後部にある。ハンドル部８は、ダクト部６の長手方向に直線的に延びる。ハンドル部８は、ダクト部６を後方へ延長した仮想の延長線上に配置される。ハンドル部８は、ダクト部６と一直線上に並ぶ。
【００１７】
掃除機本体２ａは、掃除機収納状態のときに充電スタンド３により保持される被保持部１０を有する。被保持部１０には、充電端子１０ａが設けられる。充電端子１０ａは、掃除機収納状態のときに充電スタンド３側の充電端子３ｇに接触する。充電端子１０ａから、掃除機本体２ａ内に配設されるリード線（図示省略）を介して、蓄電池５へ給電可能である。被保持部１０は、掃除機本体２ａの左右方向の中央に位置する。被保持部１０は、ダクト部６の外周面から突出するように配置される。被保持部１０は、掃除機本体２ａの主要部分の前側に位置する。
【００１８】
掃除機本体２ａは、テーパー状の外形のテーパー形状部７ａを有する。テーパー形状部７ａは、掃除機本体２ａの主要部分の前部に形成される。テーパー形状部７ａの外径は、掃除機本体２ａの前方へ向かって漸減する。テーパー形状部７ａは、塵埃分離部７の一部として形成される。
【００１９】
図１に示すように、充電スタンド３は、掃除機本体２ａの前（ダクト部６の先端側）が下で、掃除機本体２ａの後ろ（ダクト部６の先端側と反対側）が上になる姿勢で、電気掃除機２を支持する。充電スタンド３は、土台部３ａ及び支柱部３ｂを有する。土台部３ａは、支柱部３ｂが直立状態になるように支柱部３ｂを支える。土台部３ａの底面は、床面に接触する。土台部３ａは、おおむね正方形または長方形の平面形状を有する。支柱部３ｂは、柱状の外形を有する。支柱部３ｂは、土台部３ａの中央領域から鉛直上方へ延びる。尚、土台部は、円形、楕円形等の、上記以外の形状でもよい。
【００２０】
図３に示すように、支柱部３ｂの外形は、円柱状である。支柱部３ｂの外形が呈する円柱状の直径と、掃除機本体２ａの主要部分（塵埃分離部７及び本体ケース９）の外形が呈する円柱状の直径とは、ほぼ等しい。支柱部３ｂの横断面の外形と、掃除機本体２ａの主要部分（塵埃分離部７及び本体ケース９）の横断面の外形とは、大部分においてほぼ等しい形状（円形）である。
【００２１】
支柱部３ｂの上部に、掃除機本体２ａのテーパー形状部７ａを受け入れる形状の凹部３ｃが形成されている。凹部３ｃの内面の少なくとも一部は、テーパー形状部７ａに接触する。凹部３ｃの少なくとも一部の内径は、テーパー形状部７ａの形状に対応したテーパー状に変化する。土台部３ａは、吸口体２ｂを載せる載置部３ｄを有する。載置部３ｄの上面は、土台部３ａの他の部分の上面より低い位置にある。電気掃除機収納状態のとき、電気掃除機２のパイプ２ｃ及びダクト突出部分６ａは、支柱部３ｂに沿って（並行して）配置される。支柱部３ｂは、パイプ２ｃ及びダクト突出部分６ａと対向する位置に、支柱部３ｂの長手方向に沿って延びる溝状凹部３ｅを有する。溝状凹部３ｅの長手方向に垂直な断面形状は、円弧状である。
【００２２】
掃除機収納状態のときに掃除機本体２ａの被保持部１０を保持する保持部３ｆが支柱部３ｂの上部に形成されている。保持部３ｆは、穴部を有する。被保持部１０は、保持部３ｆの穴部に挿入する凸部を有する。被保持部１０の凸部が保持部３ｆの穴部に挿入して嵌合することで、被保持部１０が保持部３ｆに保持される。掃除機収納状態のとき、被保持部１０が保持部３ｆに保持されることで、充電スタンド３に支持された電気掃除機２が安定する。掃除機本体２ａの被保持部１０が穴部を有し、充電スタンド３の保持部３ｆが当該穴部に挿入する凸部を有する構成にしても良い。
【００２３】
保持部３ｆには、充電端子３ｇが設けられる。掃除機収納状態のとき、掃除機本体２ａ側の充電端子１０ａが、充電スタンド３側の充電端子３ｇに接触することで、充電スタンド３から掃除機本体２ａへの給電経路がつながる。充電スタンド３は、商用電源等の外部の交流電源に接続される。充電スタンド３は、交流電力を直流電力に変換して充電端子３ｇに供給する電力変換回路を内蔵する。
【００２４】
本実施の形態１の掃除機システム１によれば、掃除機収納状態のとき、以下のようになる。
（１）支柱部３ｂと電気掃除機２とが組み合わされることで柱状の外観を有する直立形状部１１が形成される（図１参照）。これにより、電気掃除機２の非使用時（充電時）に、充電スタンド３と電気掃除機２とが一体となって意匠性に優れた外観をもたらすことが可能となる。このような掃除機システム１（充電スタンド３）は、例えばリビングルームなど、人の目に付く所での設置に適する。
（２）支柱部３ｂを上方へ仮想的に延長した空間に、掃除機本体２ａの主要部分が位置する。これにより、直立形状部１１の高さが支柱部３ｂの高さより高くなり、支柱部３ｂが上方へ伸びたような印象を視覚的に与えることが可能となる。その結果、より優れた意匠性が得られる。
（３）支柱部３ｂの上方に塵埃分離部７が位置し、塵埃分離部７の上方にファンモーター４が位置し、ファンモーター４の上方に蓄電池５が位置する。このように、支柱部３ｂ、塵埃分離部７、ファンモーター４、及び蓄電池５が鉛直方向に並ぶことで、直立形状部１１の太さを細くできる。よって、直立形状部１１を細長い形状にでき、より優れた意匠性が得られる。
（４）電気掃除機２の掃除機本体２ａのテーパー形状部７ａが、支柱部３ｂの上部の凹部３ｃに入る。電気掃除機２を充電スタンド３に載せるときに、テーパー形状部７ａの周面が凹部３ｃの縁に摺動することで、円形状である凹部３ｃの開口縁に倣い、掃除機本体２ａの主要部分の中心軸と、支柱部３ｂの中心軸とを容易に一致させることができる。これにより、電気掃除機２を充電スタンド３の正確な位置に容易に載せることができる。
（５）電気掃除機２の吸口体２ｂは、充電スタンド３の土台部３ａの載置部３ｄに載る。吸口体２ｂの上面と、土台部３ａの載置部３ｄ以外の部分の上面とが連なり、吸口体２ｂと土台部３ａとが視覚的に一体となった外観をもたらす。その結果、より優れた意匠性が得られる。
（６）電気掃除機２のパイプ２ｃ及びダクト突出部分６ａが、支柱部３ｂの溝状凹部３ｅと隙間を開けて対向する。充電スタンド３に対する電気掃除機２の着脱時に、パイプ２ｃ及びダクト突出部分６ａと、支柱部３ｂとが擦れ合うことを防止し、傷が付くことを防止できる。パイプ２ｃ及びダクト突出部分６ａの、支柱部３ｂと対向する表面が凸曲面（円筒面）であっても、上記の適度な隙間を形成できる。パイプ２ｃ及びダクト突出部分６ａの、支柱部３ｂと対向する表面を、凹曲面あるいは平面にする必要がないので、パイプ２ｃ及びダクト突出部分６ａの意匠性を良好にできる。
（７）電気掃除機２のパイプ２ｃ、ダクト部６、及びハンドル部８が鉛直方向に一直線上に並び、これらが直立形状部１１の一部を形成することで、より優れた意匠性が得られる。
【００２５】
掃除機収納状態において、支柱部３ｂの外周面と、掃除機本体２ａの主要部分（塵埃分離部７）の外周面との間に形成される継ぎ目１２（図１参照）の隙間または段差の大きさは、５ｍｍ以下が好ましく、３ｍｍ以下がより好ましい。このようにすることで、継ぎ目１２が目立たなくなり、直立形状部１１の意匠性を十分に良好にできる。吸口体２ｂ及びパイプ２ｃを掃除機本体２ａに装着した状態で充電スタンド３が掃除機本体２ａを支持可能であるので、ダクト部６からパイプ２ｃを取り外すことなく電気掃除機２を掃除機収納状態にでき、使い勝手が良い。
【００２６】
図４に示すように、電気掃除機２の吸口体２ｂには、回転する回転ブラシ２ｅが備えられている。塵埃分離部７は、吸引された空気及び塵埃を旋回させることで塵埃を分離する旋回室を有するサイクロン式のものである。ダクト部６の下流側は、塵埃分離部７の旋回室に連通する。サイクロン式の塵埃分離部７は、その外形が旋回室の形状に沿った円柱状になる。掃除機本体２ａの本体ケース９の外形及び充電スタンド３の支柱部３ｂの外形を、塵埃分離部７の外形に合わせた円柱状としたことで、直立形状部１１の太さをなるべく細くすることが可能となり、より優れた意匠性が得られる。ファンモーター４の回転軸は、本体ケース９の中心軸に一致する。一般に、ファンモーター４の外形は、回転体形状になる。回転体形状のファンモーター４を収納する本体ケース９の外形を円柱状にすることで、本体ケース９内にデッドスペースが形成されることを抑制でき、本体ケース９の太さを細くできる。本発明において、塵埃分離部７は、サイクロン式に限らず、紙パック式のものなどでも良い。
【００２７】
掃除機本体２ａの前から後ろに向かって（ダクト部６の先端側から基端側に向かって）、塵埃分離部７、ファンモーター４、及び蓄電池５がこの順に並んで配置されるので、掃除機本体２ａの主要部分の太さをなるべく細くすることが可能となる。また、このような配置により、以下の効果が得られる。掃除機本体２ａの前部に塵埃分離部７があるので、ダクト部６から塵埃分離部７への風路を短距離かつ単純に構成できる。塵埃分離部７とファンモーター４とが隣接することで、ファンモーター４が発生する吸引風を塵埃分離部７に直接作用させることができる。これらのことから、吸引風の風路を短距離かつ単純に構成できる。また、ダクト部６の長手方向に平行な方向から見たときに、塵埃分離部７の投影領域にファンモーター４及び蓄電池５が収まる。このことで、掃除機本体２ａの主要部分の太さをなるべく細くすることが可能となる。
【００２８】
充電スタンド３の支柱部３ｂには、吸気口３ｈが設けられている。吸気口３ｈと、土台部３ａに設けられた排気口３ｉとは、支柱部３ｂの内部空間を介して連通している。吸気口３ｈは、支柱部３ｂの、電気掃除機２のパイプ２ｃと対向する面と反対側に設けられている。土台部３ａの内部には、吸気口３ｈから吸入した空気を排気口３ｉへ送るファン３ｊと、ファン３ｊを駆動するモーター３ｋとが配置されている。支柱部３ｂの内部には、吸気口３ｈから吸入された空気が通過するフィルター３ｍが設けられている。フィルター３ｍは、吸気口３ｈから吸入された空気を浄化する。
【００２９】
ファン３ｊがモーター３ｋにより駆動されると、外部の空気が吸気口３ｈから吸入され、フィルター３ｍを通過し、排気口３ｉから外部空間へ放出される。掃除動作を行う際に空気中に塵埃が舞う場合がある。空気中に舞った塵埃を充電スタンド３の空気浄化機能によって取り除くことができるので、清掃後の室内の空気を有効に浄化することが可能となる。フィルター３ｍが汚れた場合には、電気掃除機２を用いてフィルター３ｍを容易に清掃できる。一般に、空気清浄機の周囲には気流の影響で塵埃が溜まりやすい。空気清浄機能を有する充電スタンド３の周囲に塵埃が溜まった場合、電気掃除機２を用いて手軽にこれを清掃できる。フィルター３ｍが支柱部３ｂの内部に配置され、フィルター３ｍに比べて重量の重いファン３ｊ及びモーター３ｋが土台部３ａの内部に配置されたことで、充電スタンド３が低重心化し、安定性が向上する。
【００３０】
掃除機収納状態において、床から、掃除機本体２ａの被保持部１０及び充電スタンド３の保持部３ｆまでの高さは、掃除機システム１の全高の１／２以上である。掃除機収納状態において、被保持部１０及び保持部３ｆの位置は、比較的高い位置になる。このため、使用者が充電スタンド３に電気掃除機２を置く動作をするときに、被保持部１０及び保持部３ｆを目視しやすいので、被保持部１０の位置を充電スタンド３の保持部３ｆの位置に合わせる動作をしやすい。
【００３１】
図５は、本実施の形態１の電気掃除機２の掃除機本体２ａの側面図である。図５は、塵埃分離部７を取り外した状態を示すとともに、ダクト部６を省略している（後述する図７から図１０でも同様）。図６は、本実施の形態１の電気掃除機２の掃除機本体２ａを蓄電池５及びハンドル部８の位置で切断した横断面図である。図５に示すように、本体ケース９の蓄電池５を収納した部分と、ハンドル部８との間に、ハンドル８の長手方向に対して垂直な方向に開口する手挿入空間１３が形成される。手挿入空間１３は、手の指が入ることのできる空間である。ハンドル部８を握るとき、手挿入空間１３に手の指を入れることができるので、ハンドル部８を握りやすい。
【００３２】
以下の説明では、吸口体２ｂに近い側（ダクト部６の先端に近い側）のハンドル部８の端部をハンドル前端８ｃと称する。吸口体２ｂから遠い側（ダクト部６の先端から遠い側）のハンドル部８の端部をハンドル後端８ｄと称する。ハンドル部８をその長手方向に垂直な平面で切断した断面積を横断面積と称する。掃除機収納状態において、電気掃除機２は、ハンドル後端８ｄが上でハンドル前端８ｃが下になる姿勢で、充電スタンド３に支持される。本実施の形態１では、掃除機収納状態において、ハンドル部８の長手方向が水平面に対してほぼ垂直になる。
【００３３】
ハンドル後端８ｄの横断面積は、ハンドル前端８ｃの横断面積に比べて大きい。すなわち、ハンドル後端８ｄは、ハンドル前端８ｃに比べて、太い。これにより、以下の効果がある。掃除機収納状態から電気掃除機２を取り出すときには、ハンドル部８を手で握り、電気掃除機２の重量を支えるためにハンドル部８に上方向の力を加える動作を行う。このとき、ハンドル部８を握る手は、親指及び人差し指が上（ハンドル後端８ｄ側）で、小指が下（ハンドル前端８ｃ側）になる。このとき、上側になるハンドル後端８ｄが比較的太く、下側になるハンドル前端８ｃが比較的細くなっていることで、握っている手の中でハンドル部８がずり落ちにくい。このため、電気掃除機２の重量を支える上方向の力をハンドル部８に確実に伝達できるので、電気掃除機２を取り出す動作がしやすい。
【００３４】
電気掃除機２を使って清掃するときには、ハンドル部８を握る手は、親指及び人差し指がハンドル前端８ｃ側になり、小指がハンドル後端８ｄ側になる。大きな力を出せる親指及び人差し指側が、比較的細いハンドル前端８ｃ側を握ることになるので、ハンドル部８をしっかり保持することができる。電気掃除機２を使った清掃動作において、電気掃除機２を押したり引いたりするとき、ハンドル部８を持つ手が滑りにくい。
【００３５】
ハンドル部８は、本体ケース９と対向する対向面８ａを有する。対向面８ａは、手挿入空間１３を介して、本体ケース９と対向する。ハンドル部８は、対向面８ａと反対側の面である外側面８ｂを有する。対向面８ａは、本体ケース９の中心軸及びダクト部６の長手方向に対して傾斜している。外側面８ｂは、本体ケース９の中心軸及びダクト部６の長手方向に対して平行である。ハンドル部８の外側面８ｂが、本体ケース９の中心軸及びダクト部６の長手方向に対して平行であることで、掃除機本体２ａを側面から見たとき、ハンドル部８と、本体ケース９及びダクト部６との一体感を視覚的に与えることができ、意匠性を向上できる。本発明は、上記構成に限らず、対向面８ａが本体ケース９の中心軸及びダクト部６の長手方向に対して平行になり、外側面８ｂが本体ケース９の中心軸及びダクト部６の長手方向に対して傾斜していても良い。
【００３６】
ハンドル部８の表面（対向面８ａ）には、複数の凸条８ｅが並んで形成されている。凸条８ｅは、ハンドル部８の長手方向に対し垂直な方向に沿って延びる。掃除機収納状態から電気掃除機２を取り出す動作、及び、電気掃除機２を使って清掃する動作において、凸条８ｅが滑り止めの機能を発揮することで、ハンドル部８を持つ手が滑ることをより確実に防止できる。凸条８ｅの高さ（表面からの突出量）は、０．３ｍｍ〜１．５ｍｍが望ましい。
【００３７】
ハンドル部８の長手方向の中央部分を含む領域におけるハンドル部８の太さは、ハンドル前端８ｃからハンドル後端８ｄに向かって徐々に太くなる。すなわち、ハンドル部８の長手方向の中央部分を含む領域において、ハンドル部８の横断面積がハンドル前端８ｃからハンドル後端８ｄに向かって徐々に増加する。ここで言うハンドル部８の横断面積とは、凸条８ｅによる凹凸をなくして平滑化した場合の横断面積を言うものとする。ハンドル部８の長手方向の中央部分は、ハンドル部８を握る手の中心部分に接触する。ハンドル部８を握る手の中心部分に接触する箇所が上記の形状を有することで、掃除機収納状態から電気掃除機２を取り出す動作において、電気掃除機２の重量を支える上方向の力をハンドル部８により確実に伝達できる。
【００３８】
ハンドル部８の表面（対向面８ａ）には、手の指の一部が入る凹部８ｆが形成されている。凹部８ｆは、円弧状の内面を有する。凹部８ｆは、ハンドル前端８ｃに近い位置にある。電気掃除機２を使って清掃する動作をするとき、人差し指の一部を凹部８ｆに入れることができる。これにより、ハンドル部８を持つ手が滑ることをより確実に防止できる。
【００３９】
掃除機本体２ａは、本体ケース９の後端部と、ハンドル後端８ｄとを連結する連結部１４を有する。連結部１４の外面（手挿入空間１３側と反対側の面）と、ハンドル部８の外側面８ｂとの間に形成される角部１５は、面取りされた形状を有する。角部１５の面は、連結部１４の外面に対し、４０°〜５０°程度傾斜している。角部１５の面は、ハンドル部８の外側面８ｂに対し、４０°〜５０°程度傾斜している。電気掃除機２を使って清掃するとき、手の一部を角部１５に接触させてハンドル部８を握ることもできる。その際に、角部１５が面取りされた形状を有することで、握りやすく、手が痛くならない。
【００４０】
図６に示すように、掃除機本体２ａを蓄電池５及びハンドル部８の位置で切断した断面における本体ケース９の外形は、円形の一部が除去された除去部分９ｂを有する。手挿入空間１３の一部は、除去部分９ｂにより構成される。手挿入空間１３の少なくとも一部が除去部分９ｂにより構成されることで、ハンドル部８が本体ケース９から外周側へ張り出す大きさを抑制しつつ手挿入空間１３を形成できる。ハンドル部８が本体ケース９の外周から外側へ張り出す大きさを抑制することで、掃除機本体２ａの意匠性、及び、掃除機収納状態の掃除機システム１の意匠性をより良好にできる。除去部分９ｂを形成した部分の本体ケース９の内部空間は、異形状になる。除去部分９ｂを形成した部分の本体ケース９の内部空間に、電子部品を実装する印刷配線基板及び蓄電池５が収納される。蓄電池５を構成する複数の単位電池の並べ方によって、蓄電池５を異形状の空間に容易に配置できる。ファンモーター４は、除去部分９ｂを形成しない部分の本体ケース９の内部空間に収納される。除去部分９ｂを形成しない部分の本体ケース９の内部空間は、異形状ではない柱状の空間であるので、大型のファンモーター４を配置しやすい。
【００４１】
ハンドル部８の対向面８ａ及び外側面８ｂは、凸曲面である。対向面８ａの曲率半径は、外側面８ｂの曲率半径に比べて小さい。ハンドル部８を手で握るとき、手の指が対向面８ａに接し、手の平（指以外の部分）が外側面８ｂに接する。曲がりの大きい指に接する対向面８ａの曲率半径が比較的小さく、曲がりの小さい手の平（指以外の部分）が接する外側面８ｂの曲率半径が比較的大きいことで、握った手にハンドル部８がフィットし、握りやすい。
【００４２】
掃除機システム１の直立形状部１１の外形は、円柱状の第一部分１１ａと、第一部分１１ａの外周の一部の箇所において外側に張り出す第二部分１１ｂとを有する形状である。掃除機本体２ａの塵埃分離部７は、直立形状部１１の第一部分１１ａの長手方向の一部を形成する。掃除機本体２ａのダクト部６は、直立形状部１１の第二部分１１ｂの長手方向の一部を形成する。図６に示すように、掃除機本体２ａの本体ケース９は、直立形状部１１の第一部分１１ａの長手方向の一部を形成する。掃除機本体２ａのハンドル部８は、直立形状部１１の第二部分１１ｂの長手方向の一部を形成する。充電スタンド３の支柱部３ｂは、直立形状部１１の第一部分１１ａの長手方向の一部を形成する。電気掃除機２のパイプ２ｃは、直立形状部１１の第二部分１１ｂの長手方向の一部を形成する。
【００４３】
直立形状部１１の横断面において、第一部分１１ａが占める面積は、第二部分１１ｂが占める面積に比べて大きい。第一部分１１ａは、直立形状部１１の大部分を形成する。直立形状部１１の大部分を形成する第一部分１１ａの外形を円柱状とすることで、直立形状部１１は、整った外観を有する印象を視覚的に与えることが可能となる。このため、より良好な意匠性が得られる。ダクト部６、パイプ２ｃ、及びハンドル部８により形成される第二部分１１ｂを、第一部分１１ａから張り出させることで、第一部分１１ａの太さを細くできる。その結果、直立形状部１１全体としての太さを細くできるので、より良好な意匠性が得られる。第二部分１１ｂは、ダクト部６、パイプ２ｃ、及びハンドル部８のうちの少なくとも一つによって形成されれば良い。
【００４４】
本実施の形態１では、掃除機本体２ａの主要部分（塵埃分離部７及び本体ケース９）、充電スタンド３の支柱部３ｂ、直立形状部１１の第一部分１１ａ等の外形を円柱状としたが、これらの外形を円柱状以外の柱状（例えば、三角柱状、四角柱状、五角柱状、六角柱状、八角柱状などの多角柱状または正多角柱状など）にしても良い。本実施の形態１では、直立形状部１１が第一部分１１ａ及び第二部分１１ｂを有するものとしたが、直立形状部１１が全体として円柱状または多角柱状の外形を有するように構成しても良い。
【００４５】
本実施の形態１では、電気掃除機２の蓄電池５を充電する充電機能、及び空気清浄機能を有する充電スタンド３を備えた掃除機システム１を例に説明したが、本発明におけるスタンドは、充電機能を持たないもの、あるいは、空気清浄機能を持たないものでも良い。本発明におけるスタンドは、電気掃除機を非使用時に支える機能のみを持つものでも良い。また、本発明は、スタンド無しで自立可能（直立可能）な電気掃除機にも適用可能である。
【００４６】
実施の形態２．
次に、図７を参照して、本発明の実施の形態２について説明するが、上述した実施の形態１との相違点を中心に説明し、同一部分または相当部分は同一符号を付し説明を省略する。図７は、本発明の実施の形態２の電気掃除機２の掃除機本体２ａの側面図である。
【００４７】
図７に示すように、ハンドル部８の表面（対向面８ａ）には、凹部８ｆに加えて、手の指の一部が入る凹部８ｇがさらに形成されている。凹部８ｇは、円弧状の内面を有する。凹部８ｇは、ハンドル後端８ｄに近い位置にある。電気掃除機２を使って清掃する動作をするとき、小指の一部を凹部８ｇに入れることができる。これにより、ハンドル部８を持つ手が滑ることをより確実に防止できる。掃除機収納状態から電気掃除機２を取り出す動作をするとき、人差し指の一部を凹部８ｇに入れることができる。これにより、ハンドル部８を持つ手が滑ることをより確実に防止できる。
【００４８】
実施の形態３．
次に、図８を参照して、本発明の実施の形態３について説明するが、上述した実施の形態１との相違点を中心に説明し、同一部分または相当部分は同一符号を付し説明を省略する。図８は、本発明の実施の形態３の電気掃除機２の掃除機本体２ａの側面図である。
【００４９】
図８に示すように、本実施の形態３は、ハンドル部８の表面（対向面８ａ）に複数の凸条８ｅが形成されていないこと以外は、実施の形態２と同様である。複数の凸条８ｅが形成されていなくても、ハンドル後端８ｄの横断面積がハンドル前端８ｃの横断面積に比べて大きいことで、実施の形態１と同様の効果が得られる。
【００５０】
実施の形態４．
次に、図９を参照して、本発明の実施の形態４について説明するが、上述した実施の形態１との相違点を中心に説明し、同一部分または相当部分は同一符号を付し説明を省略する。図９は、本発明の実施の形態４の電気掃除機２の掃除機本体２ａの側面図である。
【００５１】
図９に示すように、本実施の形態４は、ハンドル部８の表面（対向面８ａ）に複数の凸条８ｅが形成されていないこと以外は、実施の形態１と同様である。複数の凸条８ｅが形成されていなくても、ハンドル後端８ｄの横断面積がハンドル前端８ｃの横断面積に比べて大きいことで、実施の形態１と同様の効果が得られる。
【００５２】
実施の形態５．
次に、図１０を参照して、本発明の実施の形態５について説明するが、上述した実施の形態１との相違点を中心に説明し、同一部分または相当部分は同一符号を付し説明を省略する。図１０は、本発明の実施の形態５の電気掃除機２の掃除機本体２ａの側面図である。
【００５３】
図１０に示すように、本実施の形態５は、ハンドル部８の表面（対向面８ａ）に、複数の凸条８ｅ、及び凹部８ｆが形成されていないこと以外は、実施の形態１と同様である。複数の凸条８ｅ、及び凹部８ｆが形成されていなくても、ハンドル後端８ｄの横断面積がハンドル前端８ｃの横断面積に比べて大きいことで、実施の形態１と同様の効果が得られる。
【符号の説明】
【００５４】
１  掃除機システム、２  電気掃除機、２ａ  掃除機本体、２ｂ  吸口体、２ｃ  パイプ、２ｄ  関節部、２ｅ  回転ブラシ、３  充電スタンド、３ａ  土台部、３ｂ  支柱部、３ｃ  凹部、３ｄ  載置部、３ｅ  溝状凹部、３ｆ  保持部、３ｇ  充電端子、３ｈ  吸気口、３ｉ  排気口、３ｊ  ファン、３ｋ  モーター、３ｍ  フィルター、４  ファンモーター、５  蓄電池、６  ダクト部、６ａ  ダクト突出部分、７  塵埃分離部、７ａ  テーパー形状部、８  ハンドル部、８ａ  対向面、８ｂ  外側面、８ｃ  ハンドル前端、８ｄ  ハンドル後端、８ｅ  凸条、８ｆ，８ｇ  凹部、９  本体ケース、９ａ  排気口、９ｂ  除去部分、１０  被保持部、１０ａ  充電端子、１１  直立形状部、１１ａ  第一部分、１１ｂ  第二部分、１２  継ぎ目、１３  手挿入空間、１４  連結部、１５  角部
【図１】
2016131633.tif 000003
【図２】
2016131633.tif 000004
【図３】
2016131633.tif 000005
【図４】
2016131633.tif 000006
【図５】
2016131633.tif 000007
【図６】
2016131633.tif 000008
【図７】
2016131633.tif 000009
【図８】
2016131633.tif 000010
【図９】
2016131633.tif 000011
【図１０】
2016131633.tif 000012